(57)【要約】【課題】外部信号入力端子において、入力端子部と出力端子部との間の接続のための回路基板を省略し、小型化を可能とすることである。【解決手段】外部信号入力端子１０は、外部信号を受ける複数の数の入力信号ケーブルの一端側コネクタのそれぞれと結合可能で着脱自在に設けられる複数の入力信号端子を有する入力端子部１４と、複数の出力信号線の他端側コネクタのそれぞれと結合可能で着脱自在に設けられる複数の出力信号端子を有する出力端子部１６と、入力端子部１４の各入力信号端子と、出力端子部１６の各出力信号端子とを電気的導通部材を用いて予め定めた接続方法で接続する接続部１８と、入力端子部１４と、出力端子部１６と、接続部１８とを一体化して接続するハウジング１２とを備える。【選択図】図３
2009117296.tif 000002
【特許請求の範囲】
【請求項１】
外部信号を受ける複数の数の入力信号ケーブルの一端側コネクタのそれぞれと結合可能で着脱自在に設けられる複数の入力信号端子を有する入力端子部と、
複数の出力信号線の他端側コネクタのそれぞれと結合可能で着脱自在に設けられる複数の出力信号端子を有する出力端子部と、
入力端子部の各入力信号端子と、出力端子部の各出力信号端子とを電気的導通部材を用いて予め定めた接続方法で接続する接続部と、
入力端子部と、出力端子部と、接続部とを一体化して接続するハウジングと、
を備えることを特徴とする外部信号入力端子。
【請求項２】
請求項１に記載の外部信号入力端子において、
複数の入力信号ケーブルは、
ビデオ信号用ケーブルと、
左右のステレオ音声信号ケーブルと、
を含むことを特徴とする外部信号入力端子。
【請求項３】
請求項２に記載の外部信号入力端子において、
複数の出力信号線は、モノラル音声信号線を含み、
接続部は、左右のステレオ音声信号ケーブルの各入力信号端子と、１本のモノラル音声信号線の出力信号端子とを、予め定めた接続方法で電気的に接続し、ステレオ音声信号とモノラル信号との間の切換を行うことを特徴とする外部信号出力端子。
【発明の詳細な説明】
【技術分野】
【０００１】
本発明は外部信号出力端子に係り、特に、外部信号を受ける入力信号ケーブルと、所定の装置側の出力信号線とを接続する外部信号出力端子に関する。
【背景技術】
【０００２】
例えば、受信機とビデオ機器等とを接続するために接続ケーブルが用いられるが、場合によっては、受信機側の信号ケーブルの仕様と、ビデオ機器側の信号線の仕様とが異なることがある。このようなときに、信号ケーブルと信号線とを接続するための接続端子装置が用いられる。この接続端子装置は、信号ケーブルのコネクタに着脱自在な入力側端子部を一端側に有し、信号線のコネクタに着脱自在な出力側端子部を他端側に有する接続コネクタ装置の一種であり、受信機からの外部信号をビデオ機器等に入力するものであるので、外部信号入力端子装置、あるいは単に外部信号入力端子と呼ぶことができる。
【０００３】
特許文献１には、インピーダンス整合器として、コンピュータのディジタル通信用同軸ケーブルに接続されたコネクタを着脱自在に結合する同軸コネクタと、ツイストペア線に接続されたモジュラプラグを着脱自在に結合するモジュラジャックとをインピーダンス整合させてケースに設ける構成が開示されている。ここでは、補助板に同軸コネクタを取り付け、回路基板にインピーダンス整合回路の構成部品とモジュラジャックとを実装した後、補助基板と回路基板とをケースのボディに納装し、同軸コネクタのリードを回路基板に半田付けし、最後にケースのカバーをボディに固着して組み立てることが述べられている。
【０００４】
【特許文献１】特開平５−３４１５号公報
【発明の開示】
【発明が解決しようとする課題】
【０００５】
特許文献１に示されるように、外部信号を受ける信号ケーブルのコネクタと、信号線のコネクタとを接続するためには、回路基板が用いられ、この回路基板を含んで接続端子装置である外部信号入力端子が構成される。したがって、従来技術の外部信号端子においては、回路基板に接続する半田付け等の作業工程を有し、回路基板を含むことから大型化する。
【０００６】
本発明の目的は、小型化を可能とする外部信号入力端子を提供することである。また、他の目的は、回路基板を省略できる外部信号入力端子を提供することである。以下の手段は、上記目的の少なくとも１つに貢献する。
【課題を解決するための手段】
【０００７】
本発明に係る外部信号入力端子は、外部信号を受ける複数の数の入力信号ケーブルの一端側コネクタのそれぞれと結合可能で着脱自在に設けられる複数の入力信号端子を有する入力端子部と、複数の出力信号線の他端側コネクタのそれぞれと結合可能で着脱自在に設けられる複数の出力信号端子を有する出力端子部と、入力端子部の各入力信号端子と、出力端子部の各出力信号端子とを電気的導通部材を用いて予め定めた接続方法で接続する接続部と、入力端子部と、出力端子部と、接続部とを一体化して接続するハウジングと、を備えることを特徴とする。
【０００８】
また、本発明に係る外部信号入力端子において、複数の入力信号ケーブルは、ビデオ信号用ケーブルと、左右のステレオ音声信号ケーブルと、を含むことが好ましい。
【０００９】
また、本発明に係る外部信号入力端子において、複数の出力信号線は、モノラル音声信号線を含み、接続部は、左右のステレオ音声信号ケーブルの各入力信号端子と、１本のモノラル音声信号線の出力信号端子とを、予め定めた接続方法で電気的に接続し、ステレオ音声信号とモノラル信号との間の切換を行うことが好ましい。
【発明の効果】
【００１０】
上記構成により、外部信号入力端子は、外部信号を受ける入力信号ケーブルの一端側コネクタと結合可能で着脱自在に設けられる入力信号端子を有する入力端子部と、出力信号線の他端側コネクタと結合可能で着脱自在に設けられる出力信号端子を有する出力端子部と、入力端子部の各入力信号端子と、出力端子部の各出力信号端子とを電気的導通部材を用いて予め定めた接続方法で接続する接続部と、入力端子部と、出力端子部と、接続部とを一体化して接続するハウジングと、を備える。このように、入力端子部と、出力端子部と、接続部とを一体化するので、小型化が可能となる。また、入力端子部の各入力信号端子と、出力端子部の各出力信号端子とを電気的導通部材を用いて予め定めた接続方法で接続するので、回路基板を省略できる。
【００１１】
また、外部信号入力端子において、複数の入力信号ケーブルは、ビデオ信号用ケーブルと、左右のステレオ音声信号ケーブルと、を含むので、外部信号を受けるビデオ信号ケーブルと、所定の装置に接続される出力信号線とを小型化された外部信号接続端子で接続することができる。
【００１２】
また、外部信号入力端子において、複数の出力信号線は、モノラル音声信号線を含み、接続部は、左右のステレオ音声信号ケーブルの各入力信号端子と、１本のモノラル音声信号線の出力信号端子とを、予め定めた接続方法で電気的に接続し、ステレオ音声信号とモノラル信号との間の切換を行う。これにより、回路基板を省略して、ステレオ音声信号とモノラル信号との間の切換を行うことができる。
【発明を実施するための最良の形態】
【００１３】
以下に図面を用いて本発明に係る実施の形態につき詳細に説明する。以下では、外部信号を受ける入力信号ケーブルを、ビデオ信号用ケーブルと、左右のステレオ音声信号ケーブルの合計３本のものとして説明するが、これは説明のための一例である。これ以外の本数であってもよく、あるいはこれらと異なる内容の信号ケーブル、例えばデータ信号ケーブル等であってもよい。
【００１４】
図１は、外部信号入力端子１０の斜視図で、（ａ）は正面側からの斜視図、（ｂ）は背面側からの斜視図である。図２は、外部信号入力端子１０の三面図であり、（ａ）は平面図、（ｂ）は正面図、（ｃ）は側面図である。図３は、外部信号入力端子１０の断面図である。
【００１５】
外部信号入力端子１０は、ハウジング１２と、ハウジング１２の正面側に設けられる３本の入力端子部１４と、ハウジング１２の背面側に１つの出力端子部１６と、ハウジング１２の内部に入力端子部１４と出力端子部１６とを接続する接続部１８を含んで構成される。
【００１６】
ハウジング１２は、外部信号入力端子１０の外形を形作り、内部に接続部１８を配置しながら入力端子部１４と出力端子部１６とを保持する機能を有する筐体部材である。かかるハウジング１２は、適当なプラスチック材料を用い、入力端子部１４、出力端子部１６、接続部１８を含んでこれらを一体で成形して得ることができる。この一体化成形法は、異色成形法、あるいはインサートモールド法等の技術を用いることができる。プラスチック材料としては、適当な強度を有し、十分な絶縁性を有するものを用いることが好ましい。例えば、エポキシ樹脂、ポリカーボネイト樹脂等を用いることができる。
【００１７】
入力端子部１４は、ここに外部信号を受ける入力信号ケーブルの一端側コネクタが結合可能で着脱自在に接続される接続端子部である。入力端子部１４は、内部に入力信号端子を有し、これが入力信号ケーブルの一端側コネクタの信号端子と接触して、相互に電気的に接続される。図１の例では、図示されていない３本の入力信号ケーブルのそれぞれの一端側コネクタが挿入できるように、３つの入力端子部１４が示されている。図示されていない３本の入力信号ケーブルは、ここでは、例えば受信機からのビデオ信号用ケーブルと、左右のステレオ音声信号ケーブルである。
【００１８】
このように、ここで入力信号とは、外部信号入力端子１０から見て入力信号であって、受信機から見れば出力信号のことである。入力信号ケーブルの名称も、外部信号入力端子１０から見ての名称であって、これを受信機から見れば、出力信号ケーブルのことになる。
【００１９】
出力端子部１６は、図示されていない装置、例えばビデオ機器に接続される出力信号線の他端側コネクタが結合可能で着脱自在に接続される接続端子部である。出力端子部１６は、出力信号端子を有し、これが出力信号ケーブルの他端側コネクタの信号端子と接触して、相互に電気的に接続される。図１の例では、図示されていない出力信号ケーブルの信号線を７本として、それぞれの信号線に対応するコネクタ端子に対応して、７本の出力信号端子を有する１つの出力端子部１６が示されている。図示されていない出力信号線の７本の信号線は、ここでは、モノラル音声信号線、３本のカラー映像信号線、３本の制御信号線である。
【００２０】
このように、ここで出力信号とは、外部信号入力端子１０から見て出力信号であって、ビデオ機器から見れば入力信号のことである。出力信号線の名称も、外部信号入力端子１０から見ての名称であって、これをビデオ機器から見れば、入力信号線のことになる。
【００２１】
接続部１８は、入力端子部１４の各入力信号端子と、出力端子部の各出力信号端子とを接続する電気的導通部材である。電気的導通部材は、各入力信号端子と各出力信号端子との間を定めた接続方法で接続するために、互いに絶縁されて配置された複数の部材である。かかる電気的導通部材としては、適当な金属線あるいは金属板を用いることができる。また、場合によっては、抵抗素子を電気的導通部材として用いることができる。
【００２２】
例えば、左右のステレオ音声信号ケーブルの各入力信号端子と、１本のモノラル音声信号線の出力信号端子とを、予め定めた接続方法で電気的に接続し、ステレオ音声信号とモノラル信号との間の切換を行うには、電気的導通部材として抵抗素子を用いる。すなわち、左のステレオ音声信号ケーブルの入力信号端子と、モノラル音声信号線の出力信号端子とを抵抗素子で接続すると共に、右のステレオ音声信号ケーブルの入力信号端子と、モノラル音声信号線の出力信号端子とを別の抵抗素子で接続する。これによって、左のステレオ音声信号ケーブルの信号と、右のステレオ音声信号ケーブルの信号との間で信号の逆流が生じることを抑制して、１つのモノラル信号として出力することができる。
【００２３】
このように、接続部１８は、複数の入力信号端子におけるそれぞれの入力信号と、複数の出力信号端子におけるそれぞれの出力信号とを、予め定めた接続法によって、信号の切換等を行う機能を有するものとできる。図１から図３の例では、このような信号切換を行うことができる接続部１８をハウジング１２の内部に設けるものとしたが、接続部１８を単純に、入力信号端子と出力信号端子の間の１対１の接続を行うのみとすることもできる。この場合には、信号間の切換機能は、外部信号入力端子１０の外側、例えば出力信号線側に設けるものとすることができる。
【００２４】
このように、ハウジング１２によって、入力端子部１４と、出力端子部１６と、接続部１８とを一体化して接続することで、外部信号入力端子１０を小型にすることができる。また、従来技術で用いられる回路基板を省略でき、これによって従来技術では必要であった半田付け工程等を省略することができる。
【００２５】
図４と図５は、図１から図３で説明した外部信号入力端子１０を用いたＶＴＲジャックアセンブリ２０を示す図である。図４はＶＴＲジャックアセンブリ２０の斜視図、図５はその断面図である。ここでは、図示されていない受信機から外部信号を受ける３本の入力信号ケーブル６と、図示されていないビデオ機器に接続される外部信号線８が示されている。
【００２６】
図４では、ＶＴＲジャックアセンブリ２０の筐体２２の背面側からの斜視図が示され、したがって、図１から図３で説明した外部信号入力端子１０は、出力端子部１６のみが図示されている。図５では、ＶＴＲジャックアセンブリ２０の筐体２２に外部信号入力端子１０が保持されている様子が示されている。
【００２７】
ここで、従来技術との比較をするために、図６には、従来技術によるＶＴＲジャックアセンブリ３０の断面図が示されている。なお、図１から図５と同様の要素には同一の符号を付し、詳細な説明を省略する。従来型ＶＴＲジャックアセンブリ３０は、図５と外形が同じ筐体３２を有している。この筐体３２には、入力端子部１４を含む入力ジャック部３４が保持される。また出力端子部１６を一方端のコネクタ６０に有する出力ケーブル６２の他端部から導かれる信号線６４は、出力コネクタ４０に接続され、この出力コネクタ４０も筐体３２に支持される。そして、入力ジャック部３４と出力コネクタ４０とは、回路基板５０に、接続ピン３６，４２を用いて電気的に接続される。
【００２８】
回路基板５０には予め定められた配線パターンが設けられ、これによって、入力ジャック部３４の各信号端子と、出力コネクタ４０の各信号端子とはそれぞれ対応付けられて接続される。この回路基板５０も筐体３２内に収納される。ただし、この筐体３２は、ＶＴＲジャックアセンブリ３０の筐体３２である。
【００２９】
このように、従来型ＶＴＲジャックアセンブリ３０においては、入力ジャック部３４と出力コネクタ４０との間の接続のために回路基板５０を有し、半田付け工程等が必要となる。これに対し、図５のＶＴＲジャックアセンブリ２０においては、回路基板を要せず、半田付け工程も必要ない。また、図６の例では、図５と同じ外形の筐体３２を用いるものとしたが、図５、図６を比較すれば分かるように、図５の筐体２２は、回路基板、接続ピンの配置空間を要しない分、まだまだ小型化が可能である。
【図面の簡単な説明】
【００３０】
【図１】本発明に係る実施の形態の外部信号入力端子の斜視図である。
【図２】本発明に係る実施の形態の外部信号入力端子の三面図である。
【図３】本発明に係る実施の形態の外部信号入力端子の断面図である。
【図４】本発明に係る実施の形態の外部信号入力端子を用いたＶＴＲジャックアセンブリの斜視図である。
【図５】図４の断面図である。
【図６】従来型ＶＴＲジャックアセンブリの断面図である。
【符号の説明】
【００３１】
６  入力信号ケーブル、８  外部信号線、１０  外部信号入力端子、１２  ハウジング、１４  入力端子部、１６  出力端子部、１８  接続部、２０，３０  ＶＴＲジャックアセンブリ、２２，３２  筐体、３４  入力ジャック部、３６，４２  接続ピン、４０  出力コネクタ、５０  回路基板、６０  コネクタ、６２  出力ケーブル、６４  信号線。
【図１】
2009117296.tif 000003
【図２】
2009117296.tif 000004
【図３】
2009117296.tif 000005
【図４】
2009117296.tif 000006
【図５】
2009117296.tif 000007
【図６】
2009117296.tif 000008